(57)【特許請求の範囲】
【請求項１】
直方体形状の暖房器用のカバー装置であって、暖房器の前面，頂面及び後面を覆う通熱性を有する主カバーを設け、この主カバーの対向する内面には暖房器の前面及び後面を夫々押圧する取付用の押圧部が設けられ、前記主カバーには該主カバーの前部及び後部を連結する連結体が設けられていることを特徴とする暖房器用のカバー装置。
【請求項２】
請求項１記載の暖房器用のカバー装置において、暖房器の側面を覆う通熱性を有する従カバーが設けられていることを特徴とする暖房器用のカバー装置。
【請求項３】
請求項１，２いずれか１項に記載の暖房器用のカバー装置において、暖房器として、暖房器の前後面から外方に突出している突出部が設けられ、この突出部の下部にはキャスターが設けられた暖房器を採用し、主カバーは、該主カバーの下縁が突出部上に載置される状態で暖房器に被嵌されるように構成されていることを特徴とする暖房器用のカバー装置。
【請求項４】
請求項１〜３いずれか１項に記載の暖房器用のカバー装置において、押圧部は主カバーの巾方向に延設される所定長に設定され、主カバーの外面には該押圧部を押動するねじ体が設けられていることを特徴とする暖房器用のカバー装置。
【請求項５】
請求項１〜４いずれか１項に記載の暖房器用のカバー装置において、主カバーは前部カバー、頂部カバー及び後部カバーの三体を連結することにより構成されていることを特徴とする暖房器用のカバー装置。
【請求項６】
請求項１〜５いずれか１項に記載の暖房器用のカバー装置において、主カバーに、常態においては、主カバーに添設状態となり、使用時には主カバーに対して起立状態となるタオル等を係止する係止部材を設けたことを特徴とする暖房器用のカバー装置。
【請求項７】
請求項１〜６いずれか１項に記載の暖房器用のカバー装置において、暖房器として、オイルヒーターを採用したことを特徴とする暖房器用のカバー装置。
【発明の詳細な説明】
【０００１】
【発明の属する技術分野】
本発明は、暖房器、特にオイルヒーター用のカバー装置に関するものである。
【０００２】
【従来の技術及び発明が解決しようとする課題】
最近、内部に充填したオイルを温めることで室内を暖房するオイルヒーターが提案されている。
【０００３】
このオイルヒーターも表面温度がそれなりに上昇する為、火傷の危険があるにもかからわず、火傷を防止する器具が提案されていないのが現状である。
【０００４】
本発明は、オイルヒーターによる火傷事故を防止し得る暖房器用のカバー装置を提供するものである。
【０００５】
【課題を解決するための手段】
添付図面を参照して本発明の要旨を説明する。
【０００６】
直方体形状の暖房器用のカバー装置であって、暖房器１の前面１ａ，頂面１ｂ及び後面１ｃを覆う通熱性を有する主カバー２を設け、この主カバー２の対向する内面には暖房器１の前面１ａ及び後面１ｃを夫々押圧する取付用の押圧部４が設けられ、前記主カバー２には該主カバー２の前部及び後部を連結する連結体５が設けられていることを特徴とする暖房器用のカバー装置に係るものである。
【０００７】
また、請求項１記載の暖房器用のカバー装置において、暖房器１の側面１ｄを覆う通熱性を有する従カバー３が設けられていることを特徴とする暖房器用のカバー装置に係るものである。
【０００８】
また、請求項１，２いずれか１項に記載の暖房器用のカバー装置において、暖房器１として、暖房器１の前後面から外方に突出している突出部６が設けられ、この突出部６の下部にはキャスター７が設けられた暖房器１を採用し、主カバー２は、該主カバー２の下縁が突出部６上に載置される状態で暖房器１に被嵌されるように構成されていることを特徴とする暖房器用のカバー装置に係るものである。
【０００９】
また、請求項１〜３いずれか１項に記載の暖房器用のカバー装置において、押圧部４は主カバー２の巾方向に延設される所定長に設定され、主カバー２の外面には該押圧部４を押動するねじ体８が設けられていることを特徴とする暖房器用のカバー装置に係るものである。
【００１０】
また、請求項１〜４いずれか１項に記載の暖房器用のカバー装置において、主カバー２は前部カバー２ａ、頂部カバー２ｂ及び後部カバー２ｃの三体を連結することにより構成されていることを特徴とする暖房器用のカバー装置に係るものである。
【００１１】
また、請求項１〜５いずれか１項に記載の暖房器用のカバー装置において、主カバー２に、常態においては、主カバー２に添設状態となり、使用時には主カバー２に対して起立状態となるタオル等を係止する係止部材９を設けたことを特徴とする暖房器用のカバー装置に係るものである。
【００１２】
また、請求項１〜６いずれか１項に記載の暖房器用のカバー装置において、暖房器１として、オイルヒーターを採用したことを特徴とする暖房器用のカバー装置に係るものである。
【００１３】
【発明の作用及び効果】
【００１４】
通熱性を有する主カバー２により暖房器１の前面１ａ，頂面１ｂ及び後面１ｃが覆われるから、火傷事故が防止できる。
【００１５】
本発明は上述のように構成したから、暖房器を極めて安全に使用し得ることになる。
【００１６】
【発明の実施の形態】
図面は本発明の一実施例を図示したもので、暖房器１としてのオイルヒーター用のカバー装置である。以下に説明する。
【００１７】
図面の主カバー２は枠体に網材を張設した暖房器１の前面１ａを覆う上部が湾曲した前部カバー２ａと、同様な構造の暖房器１の後面１ｃを覆う上部が湾曲した後部カバー２ｃとを同様な構造の暖房器１の頂面１ｂを覆う頂部カバー２ｂを介して連結した構成である。
【００１８】
この主カバー２は網材が張設されている為通熱性を有する構成である。
【００１９】
また、図面のカバー装置は主カバー２の一側面に枠体に網材を張設した従カバー３が付設されるものである。
【００２０】
また、主カバー２は、オイルヒーターに設けられた突出部６、この場合、裏面にキャスター７が付設された二本の台部の端部である突出部６上に載置される寸法に設計されている。
【００２１】
また、暖房器１の前部カバー２ａ及び後部カバー２ｃの内面には該前部カバー２ａ及び後部カバー２ｃの巾長の３／４程度の長さの押圧部４が設けられている。一方、この前部カバー２ａ及び後部カバー２ｃの外面位置にはねじ体８が設けられ、このねじ体８は枠体の下桟11に設けられた孔11ａを貫挿し、更にナット部材12を螺挿して前記押圧部４に連設されている。尚、押圧部４の両端はナット部材12に形成されたガイド孔10に嵌入されている。
【００２２】
また、前部カバー２ａ及び後部カバー２ｃの下部にして従カバー３のない側にはコ字状の連結体５が連結される。
【００２３】
また、主カバー２の上部側の前部カバー２ａ及び後部カバー２ｃには前部カバー２ａ及び後部カバー２ｃの湾曲に合致する湾曲状に形成されたタオルなどを係止する係止部材９が設けられている。具体的には常態においては前部カバー２ａ及び後部カバー２ｃの上部側の湾曲と合致して該前部カバー２ａ及び後部カバー２ｃに添設状態となっており、下部を支点に擺動させると起立状態となるものである。
【００２４】
符号13は起立状態とした係止部材９を支持するストッパー部材である。
【００２５】
本実施例は上述のように構成したから、前部カバー２ａ，頂部カバー２ｂ及び後部カバー２ｃを連結して主カバー２を組み立て、オイルヒーターに、該主カバー２の下縁が突出部６上に載置される状態で被嵌し、ねじ体８を螺入して押圧部４をオイルヒーターの前面１ａ及び後面１ｃに押圧させ、主カバー２の一側面に従カバー３を設けることでオイルヒーターを覆うと、オイルヒーターの発熱面である前面１ａ，頂面１ｂ及び後面１ｃが覆われ、よって、火傷事故を防止し得ることになる。
【００２６】
更に、本実施例は前部カバー２ａ，頂部カバー２ｂ及び後部カバー２ｃを組み立てるだけで簡単に主カバー２が形成される為、作業性においても秀れ、更に、本実施例に係る主カバー２はオイルヒーターの突出部６上に載置される為（オイルヒーターの前面１ａ及び後面１ｃに取り付けられる為）、オイルヒーターのキャスター７の作動に支承は来さない（本ガード装置を付設したまま押し入れ等に収納できる。）。
【００２７】
更に、本実施例は主カバー２の前部カバー２ａ及び後部カバー２ｃを連結体５により連結する為、ねじ体８を螺入して主カバー２をオイルヒーターにとりつける際、主カバー２が反力により開こうとすることも防止される。
【００２８】
また、本実施例は、係止部材９がある為、タオル等を簡易に干すことができ、更に、この係止部材９は常態においては前部カバー２ａ及び後部カバー２ｃに添設状態である為、場所をとったりせず、何らの支障も来さない。
【００２９】
以上、本実施例は秀れた作用効果を奏するオイルヒーター用のカバー装置となる。
【図面の簡単な説明】
【図１】本実施例の使用状態を示す斜視図である。
【図２】本実施例の主カバー２の分解斜視図である。
【図３】本実施例の使用状態を示す要部の断面図である。
【符号の説明】
１  暖房器
１ａ  前面
１ｂ  頂面
１ｃ  後面
１ｄ  側面
２  主カバー
２ａ  前部カバー
２ｂ  頂部カバー
２ｃ  後部カバー
３  従カバー
４  押圧部
５  連結体
６  突出部
７  キャスター
８  ねじ体
９  係止部材
【図１】
0003557156.tif 000002
【図２】
0003557156.tif 000003
【図３】
0003557156.tif 000004